(57)【要約】【課題】インテリアコーディネート／模様替えなどに役立つ壁用物受けブラケットを提供する。【解決手段】屋内壁面（Ｗ）に対する取付座（１０）と、側面視のく字形をなす水平な横補強桟（１９）と、取付座のほぼ中間部から前向き連続的に張り出す囲い枠（２２）とを備え、その囲い枠を形作るほぼ正方形な前板面の垂直中心線（Ｖ−Ｖ）上へ、固定ビス受け入れ用のネジ穴（２４）を開口形成する一方、上記垂直中心線上へ上下一対の中央釘穴（１１Ｃ）（１２Ｃ）と、上下一対の両サイド釘穴（１１Ｌ）（１１Ｒ）（１２Ｌ）（１２Ｒ）とを開口分布させると共に、上記横補強桟の前下がり傾斜板面（１９Ｆ）に複数の釘穴（２０Ｃ）（２０Ｌ）（２０Ｒ）を設置し、取付座の中央釘穴とその両サイド釘穴から壁面へのほぼ直角に打ち込まれる第１釘（１７）（１８）と、上記横補強桟の釘穴から壁面への斜めに打ち込まれる第２釘（２１）とによって取り付け固定する。【選択図】図３７
2014209955.tif 000002
【特許請求の範囲】
【請求項１】
建物の屋内壁面に対する取付座と、その上部から前向きに隆起する側面視のく字形をなす水平な横補強桟と、同じく取付座のほぼ中間部から前向き連続的に張り出す平・底面視のチャンネル形囲い枠とを備え、
その囲い枠を形作る前板面の垂直中心線上へ、固定ビス受け入れ用のネジ穴を開口形成する一方、
上記取付座の垂直中心線上へ上下一対の第１釘受け入れ用中央釘穴と、その少なくとも上側中央釘穴の近辺へ左右一対の第１釘受け入れ用又は第２釘受け入れ用サイド釘穴とを開口分布させると共に、上記横補強桟の前下がり傾斜板面に複数の第２釘受け入れ用釘穴を開口形成して、
上記取付座の中央釘穴から壁面へのほぼ直角に打ち込まれる第１釘と、同じく取付座のサイド釘穴から壁面へのほぼ直角に打ち込まれる第１釘又は斜めに打ち込まれる第２釘と、上記横補強桟の釘穴から壁面への斜めに打ち込まれる第２釘とによって、上記壁面へ取り付け固定することを特徴とする壁用物受けブラケット。
【請求項２】
下側中央釘穴の近辺へ左右一対の第１釘受け入れ用又は第２釘受け入れ用サイド釘穴を開口分布させて、
その取付座のサイド釘穴から壁面へ第１釘をほぼ直角に打ち込むか、又は第２釘を斜めに打ち込むことを特徴とする請求項１記載の壁用物受けブラケット。
【請求項３】
取付座に開口分布する上下一対の第１釘受け入れ用中央釘穴を、その取付座に施された上下対称な比較的大きい二等辺三角形の垂直位置出しガイドマークによって各々囲むと共に、
上記中央釘穴の中心を各々横断する水平線上に、左右対称な比較的小さい二等辺三角形の水平位置出しガイドマークを点在分布させたことを特徴とする請求項１又は２記載の壁用物受けブラケット。
【請求項４】
囲い枠を形作る前板面の垂直中心線上へ、入口部が上向く倒立Ｔ字形のキー溝を切り欠いたことを特徴とする請求項１又は２記載の壁用物受けブラケット。
【請求項５】
請求項１又は２記載の物受けブラケットを建物の屋内壁面へ取り付ける方法であって、
縦線と横線とが物受けブラケットの取付座に開口分布する第１釘受け入れ用中央釘穴同士の上下相互間隔と等しい間隔ピッチのもとで、直交するように表示された方眼紙を物受けブラケット用取付型紙として、上記壁面へ一旦張り付け使用し、
その型紙における縦線と横線とが直交する交点同士の隣り合う上下一対へ、先ず各物受けブラケットの対応的な上記中央釘穴を合致させた上、その中央釘穴から壁面へ第１釘を打ち込むことにより、上記縦線上又は／及び横線上へ複数の物受けブラケットを正しく並ぶ点在分布状態に仮り止めし、
その後、上記壁面から型紙を除去して、上記第１釘のほか、各物受けブラケットに未だ開口状態のままで残存している取付座の第１釘受け入れ用又は第２釘受け入れ用サイド釘穴と横補強桟の第２釘受け入れ用釘穴とから壁面へ、第１、２釘のすべてを打ち込むことにより、その各物受けブラケットを本止め状態に取り付け固定し、
最後に、上記物受けブラケットの複数によって一挙に支持される結果となる共通の棚板受け止めステーや棚板受け止めアングル、突っ張り棒ハンガー、スライドレールハンガー、棚柱、その他の各種付属用具を、その複数の物受けブラケットへ取り付けることを特徴とする壁用物受けブラケットの取付方法。
【請求項６】
物受けブラケット自身の輪郭形状が表示された取付型紙を使用することを特徴とする請求項５記載の壁用物受けブラケットの取付方法。
【発明の詳細な説明】
【技術分野】
【０００１】
本発明は屋内の空間利用やインテリアコーディネート／模様替えなどに役立つ壁用物受けブラケットと、その複数を壁面へ直かに誰でも便利良く正確に取り付けるための方法に関する。
【背景技術】
【０００２】
一般家庭や店舗、事務所などにおいて、廊下や階段下、洗面室、納戸、その他の屋内空間を活用すべく、その壁面へ係止フックや係止爪を備えた金属製又は合成樹脂製の物受けブラケットを、水平のハンガーレールや垂直の棚柱、その他の別個な縦横案内部材を介さず直かに取り付けて、これに衣類や身廻り品、日用品、絵画、写真、その他の各種物品を吊り掛け使用しているが、その壁面の模様替え／インテリアコーディネートを行うに当り、上記物受けブラケットの着脱作業を繰り返せば繰り返す程、そのビスや釘などを抜いた痕跡がますます見苦しく発生し、壁面の装飾効果を阻害してしまうことになるばかりでなく、特に石膏ボードや薄ベニヤから成る壁面の場合、その壁面の損傷に起因して物受けブラケットの脱落するおそれもある。更に、賃借人であれば、明け渡し時の余計な出費を招くことにもなる。
【０００３】
或る程度の重量物である吸音パネルや収納・長押・調湿・不燃パネルを壁材ユニットと総称して、その壁材ユニットを壁体の所望位置へ傷付けることなく、着脱自在に取り付けるための施工構造及び施工方法が、特開２０１２─７７４８０号公報（特許文献１）に記載されている。
【０００４】
これは、係合具（物受けブラケット）（３１）の位置決め用型紙（２１）を壁体（１１）の所望位置へ予じめ取り付けるようになっている点と、追って壁材ユニット（吸音パネル）（５１）が着脱自在に係合される係合具（物受けブラケット）（３１）を、石膏用ピン（４６）により壁体（１１）へ固定するようになっている点で、本発明に最も近似する公知発明であると考えられる。
【先行技術文献】
【特許文献】
【０００５】
【特許文献１】特開２０１２−７７４８０号公報
【特許文献１】特開平８−７０９８４号公報
【発明の概要】
【発明が解決しようとする課題】
【０００６】
ところが、特許文献１に記載されている公知発明の構成では、壁材ユニット（吸音パネル）（５１）とこれを壁体（１１）へ取り付けるための位置決め用型紙（２１）とが、同じ数の１枚づつであり、しかも壁材ユニット（吸音パネル）（５１）よりもその位置決め用型紙（２１）の方が、小さく形成されている。また、その型紙（２１）の位置決め用貫通孔（２２）へ嵌め込まれる係合具（３１）は、必らず左右一対の２個であると限定されている。
【０００７】
そのため、壁材ユニット（吸音パネル）（５１）の１枚であれば、これを壁体（１１）の希望する位置へ手間をかけず、高精度に取り付けることができるとしても、その１枚づつの同じ取付作業を繰り返さなければ、図８〜１２のような壁体（１１）の全体的なレイアウト状態を得られないのである。
【０００８】
つまり、上記型紙（２１）はその左右一対の位置決め用貫通孔（２２）へ、これと対応合致する輪郭形状の係合具（３１）を、左右一対の２個だけ受け入れるものであるに過ぎず、多数の係合具（３１）を壁体（１１）における全面での水平線上又は／及び垂直線上へ正確に並ぶ点在分布状態として、しかもその係合具（３１）同士の隣り合う間隔を広く又は狭く、希望通りに調整したレイアウトとして取り付けるための汎用品ではない。
【０００９】
更に、上記係合具（３１）としてもその上部突起（３５）と左右一対の弾性腕部（３６）により、これらの対応的な係合孔（５４）を備えた特定の壁材ユニット（吸音パネル（５１）だけしか吊り掛けることができない。
【００１０】
その係合具（３１）の１個によって吸音パネルや不燃パネルなどのパネル類を吊り掛けることができるだけにとどまらず、例えば係合具（３１）の左右一対によって共通する１本の突っ張り棒ハンガーやスライドレールハンガーを、水平の架設状態に受け止め支持したり、係合具（３１）の４個によってコーナー棚板を水平の設置状態に受け止め支持したり、或いはまた係合具（３１）の上下一対によって棚柱を垂直の設置状態に押し付け固定したりするようなことは不可能であり、その係合具（３１）自身が各種の付属用具（アクセサリー）に対応する多機能を発揮し得る構成になっていない。
【００１１】
そして、このような諸問題は特許文献１の図１〜１２に記載された第１実施形態のみならず、図１３〜１７に記載された第２実施形態と、図１８〜２１に記載された第３実施形態の構成についても、全く同様に言えることであり、多機能性に劣る。
【課題を解決するための手段】
【００１２】
本発明はこのような諸問題の抜本的な解決を目的としており、その目的を達成するために、請求項１では壁用物受けブラケットとして、建物の屋内壁面に対する取付座と、その上部から前向きに隆起する側面視のく字形をなす水平な横補強桟と、同じく取付座のほぼ中間部から前向き連続的に張り出す平・底面視のチャンネル形囲い枠とを備え、
【００１３】
その囲い枠を形作る前板面の垂直中心線上へ、固定ビス受け入れ用のネジ穴を開口形成する一方、
【００１４】
上記取付座の垂直中心線上へ上下一対の第１釘受け入れ用中央釘穴と、その少なくとも上側中央釘穴の近辺へ左右一対の第１釘受け入れ用又は第２釘受け入れ用サイド釘穴とを開口分布させると共に、上記横補強桟の前下がり傾斜板面に複数の第２釘受け入れ用釘穴を開口形成して、
【００１５】
上記取付座の中央釘穴から壁面へのほぼ直角に打ち込まれる第１釘と、同じく取付座のサイド釘穴から壁面へのほぼ直角に打ち込まれる第１釘又は斜めに打ち込まれる第２釘と、上記横補強桟の釘穴から壁面への斜めに打ち込まれる第２釘とによって、上記壁面へ取り付け固定することを特徴とする。
【００１６】
また、請求項２では下側中央釘穴の近辺へ左右一対の第１釘受け入れ用又は第２釘受け入れ用サイド釘穴を開口分布させて、
【００１７】
その取付座のサイド釘穴から壁面へ第１釘をほぼ直角に打ち込むか、又は第２釘を斜めに打ち込むことを特徴とする。
【００１８】
請求項３では取付座に開口分布する上下一対の第１釘受け入れ用中央釘穴を、その取付座に施された上下対称な比較的大きい二等辺三角形の垂直位置出しガイドマークによって各々囲むと共に、
【００１９】
上記中央釘穴の中心を各々横断する水平線上に、左右対称な比較的小さい二等辺三角形の水平位置出しガイドマークを点在分布させたことを特徴とする。
【００２０】
更に、請求項４では囲い枠を形作る前板面の垂直中心線上へ、入口部が上向く倒立Ｔ字形のキー溝を切り欠いたことを特徴とする。
【００２１】
他方、請求項５では請求項１又は２記載の物受けブラケットを建物の屋内壁面へ取り付ける方法であって、
【００２２】
縦線と横線とが物受けブラケットの取付座に開口分布する第１釘受け入れ用中央釘穴同士の上下相互間隔と等しい間隔ピッチのもとで、直交するように表示された方眼紙を物受けブラケット用取付型紙として、上記壁面へ一旦張り付け使用し、
【００２３】
その型紙における縦線と横線とが直交する交点同士の隣り合う上下一対へ、先ず各物受けブラケットの対応的な上記中央釘穴を合致させた上、その中央釘穴から壁面へ第１釘を打ち込むことにより、上記縦線上又は／及び横線上へ複数の物受けブラケットを正しく並ぶ点在分布状態に仮り止めし、
【００２４】
その後、上記壁面から型紙を除去して、上記第１釘のほか、各物受けブラケットに未だ開口状態のままで残存している取付座の第１釘受け入れ用又は第２釘受け入れ用サイド釘穴と横補強桟の第２釘受け入れ用釘穴とから壁面へ、第１、２釘のすべてを打ち込むことにより、その各物受けブラケットを本止め状態に取り付け固定し、
【００２５】
最後に、上記物受けブラケットの複数によって一挙に支持される結果となる共通の棚板受け止めステーや棚板受け止めアングル、突っ張り棒ハンガー、スライドレールハンガー、棚柱、その他の各種付属用具を、その複数の物受けブラケットへ取り付けることを特徴とする。
【００２６】
更に、請求項６では物受けブラケット自身の輪郭形状が表示された取付型紙を使用することを特徴とする。
【発明の効果】
【００２７】
請求項１の上記構成によれば、その壁用物受けブラケットの取付座からは平・底面視のチャンネル形囲い枠が前向き連続的に張り出されており、その囲い枠を形作る前板面の垂直中心線上には、固定ビスを受け入れるネジ穴が開口形成されているため、例えば図１８、１９に示すような係止爪や図２０、２１に示すような係止フック、図２２、２３に示すような棚板の受け止めステー、図２４、２５に示すようなコーナー棚板の受け止めアングル、図２９、３０に示すようなスライドレールハンガー、図３１、３２に示すような棚柱などの各種付属用具（アクセサリー）を、上記囲い枠へ固定ビスによって取り付け固定することができ、その各種付属用具（アクセサリー）に対応する多機能を発揮し得る効果がある。
【００２８】
しかも、上記壁用物受けブラケットは建物の屋内壁面へ、ほぼ直角に打ち込まれる複数の第１釘のみならず、斜めに打ち込まれる複数の第２釘でも取り付け固定されるようになっているため、石膏ボードや薄いベニヤなどから成る弱い壁面へ、脱落のおそれなく安定裡に使用できる効果もある。
【００２９】
その場合、請求項２の構成を採用するならば、壁面に対する固定強度と安定性がますます向上する。
【００３０】
また、請求項３の構成を採用するならば、上記壁用物受けブラケットをその取付座の中央釘穴へ打ち込む第１釘によって、建物の壁面へ取り付け固定する際、その上下対称な一対の垂直位置出しガイドマークと、左右対称な一対づつの水平位置出しガイドマークによって、物受けブラケットの垂直度と水平度を容易に便利良く確保することができ、取付作業性の向上に役立つ。
【００３１】
更に、請求項４の構成を採用するならば、上記囲い枠の前板面に切り欠かれた倒立Ｔ字形のキー溝へ、その上向きの入口部から例えば図２６〜２８のような突っ張り棒ハンガーを差し込み係止させることも可能となり、上記物受けブラケットの多機能がますます増加する。
【００３２】
他方、請求項５の取付型紙を用いた壁用物受けブラケットの取付方法によれば、素人の誰もが複数の物受けブラケットを屋内壁面の水平線上に点在分布する正確な横並び状態又は／及び垂直線上に点在分布する正確な縦並び状態に取り付けることができ、延いてはその複数の物受けブラケットによって支持される上記各種付属用具（アクセサリー）を、その水平度又は／及び垂直度が自づと確保された使用状態に保てるのである。
【００３３】
その各種付属用具（アクセサリー）の水平度や垂直度を出すことに失敗するおそれがない結果、そのための上記物受けブラケットを屋内壁面に対して、取付作業のやり直しを行う必要もなくなり、石膏ボードや薄いベニヤなどから成る弱い壁面をいたずらに損傷するおそれがない。
【００３４】
殊更、請求項６の構成を採用するならば、上記壁面に対する物受けブラケットの正確な取付作業をますます容易にすばやく行えることとなり、利便性も向上する。
【図面の簡単な説明】
【００３５】
【図１】本発明に係る壁用物受けブラケットの第１実施形態を示す正面図である。
【図２】図１の平面図である。
【図３】図１の右側面図である。
【図４】図１の左側面図である。
【図５】図１の５−５線断面図である。
【図６】上記物受けブラケットの展開状態を示す正面図である。
【図７】図６の側面図である。
【図８】本発明に係る壁用物受けブラケットの第２実施形態を示す正面図である。
【図９】図８の平面図である。
【図１０】図８の側面図である。
【図１１】本発明に係る壁用物受けブラケットの第３実施形態を示す正面図である。
【図１２】図１１の平面図である。
【図１３】図１１の側面図である。
【図１４】本発明に係る壁用物受けブラケットの第４実施形態を示す正面図である。
【図１５】図１４の１５−１５線断面図である。
【図１６】本発明に係る壁用物受けブラケットの第５実施形態を示す正面図である。
【図１７】その壁面への取付状態を示す側面図である。
【図１８】付属用具としての係止爪を支持した使用状態の正面図である。
【図１９】図１８の側面図である。
【図２０】付属用具としての係止フックを支持した使用状態の正面図である。
【図２１】図２０の側面図である。
【図２２】付属用具としての棚板受け止めステーを支持した使用状態の正面図である。
【図２３】図２２の側面図である。
【図２４】付属用具としての棚板受け止めアングルを支持した使用状態の正面図である。
【図２５】図２４の平面図である。
【図２６】付属用具としての突っ張り棒ハンガーを支持した使用状態の正面図である。
【図２７】図２６の平面図である。
【図２８】図２６の側面図である。
【図２９】付属用具としてのスライドレールハンガーを支持した使用状態の正面図である。
【図３０】図２９の側面図である。
【図３１】付属用具としての棚柱を支持した使用状態の正面図である。
【図３２】図３１の側面図である。
【図３３】物受けブラケット用取付型紙を示す正面図である。
【図３４】取付型紙の変形実施形態を示す正面図である。
【図３５】壁面に対する取付型紙の張り付け状態を示す部分正面図である。
【図３６】図３５の部分拡大側面図である。
【図３７】物受けブラケットにより水平度が確保された支持状態のスライドレールハンガーを示す参考正面図である。
【図３８】物受けブラケットにより垂直度が確保された支持状態の棚柱を示す参考正面図である。
【図３９】物受けブラケットにより水平度が確保された支持状態の棚板とその棚板受け止めステーを示す参考正面図である。
【発明を実施するための形態】
【００３６】
以下、図面に基いて本発明の好適な実施形態を詳述すると、その本発明の物受けブラケット（Ｂ）は建物の石膏ボードや薄いベニヤなどから成る弱い屋内壁面（Ｗ）へ、１個づつ点在分布状態での直かに取り付けられて、約１５Kg以下の軽量な衣料品、日用品、その他の小物類を吊り掛けるための係止爪（Ａ１）や係止フック（Ａ２）は勿論のこと、例えば棚板（Ａ３）やその棚板受け止めステー（Ａ４）、棚板受け止めアングル（Ａ５）、突っ張り棒ハンガー（Ａ６）、スライドレールハンガー（Ａ７）、棚柱（Ａ８）、その他の予じめ準備された各種付属用具（アクセサリー）を支持するものであり、その各種付属用具（アクセサリー）（Ａ１）〜（Ａ８）に対応できる多機能を発揮する構成になっている。
【００３７】
即ち、図１〜５は本発明に係る物受けブラケット（Ｂ）の第１実施形態として、１枚物の金属板（好ましくは約１．６mmの厚みを有する鉄板）から成る製品を示しており、（１０）はその建物の壁面（Ｗ）に対するフラットな取付座であって、縦方向に沿い延在する長方形（例えば幅／横が約２５mm×長さ／縦が約６０mmの大きさ）の輪郭形状をなし、その上部と下部には複数（図例では３個）づつの釘穴（１１Ｃ）（１１Ｌ）（１１Ｒ）（１２Ｃ）（１２Ｌ）（１２Ｒ）が各々左右対称の横並び状態に開口分布されている。
【００３８】
その場合、図例の３個づつ点在分布する上部釘穴（１１Ｃ）（１１Ｌ）（１１Ｒ）と下部釘穴（１２Ｃ）（１２Ｌ）（１２Ｒ）のうち、その取付座（１０）の垂直中心線（長手中心線）（Ｖ−Ｖ）上に位置する上部中央釘穴（１１Ｃ）と下部中央釘穴（１２Ｃ）との１個づつは、残りの左右両端に位置する上部サイド釘穴（１１Ｌ）（１１Ｒ）と下部サイド釘穴（１２Ｌ）（１２Ｒ）との一対づつに比して、その上下相互間隔（Ｄ）が狭い寸法に、好ましくは上記取付座（１０）における幅／横（短辺）寸法の２倍（例えば約５０mm）に設定されている。
【００３９】
しかも、その上部中央釘穴（１１Ｃ）と下部中央釘穴（１２Ｃ）との１個づつは、上下対称な比較的大きい二等辺三角形の垂直位置出しガイドマーク（１３Ｃ）（１４Ｃ）によって、各々囲まれている。
【００４０】
他方、（１５Ｌ）（１５Ｒ）（１６Ｌ）（１６Ｒ）は左右対称な比較的小さい二等辺三角形を呈する上部水平位置出しガイドマークと下部水平位置出しガイドマークとの一対づつであって、その上部水平位置出しガイドマーク（１５Ｌ）（１５Ｒ）が上部中央釘穴（１１Ｃ）の中心を横断する水平線（Ｈ１−Ｈ１）上に点在分布しており、下部水平位置出しガイドマーク（１６Ｌ）（１６Ｒ）が下部中央釘穴（１２Ｃ）の中心を横断する水平線（Ｈ２−Ｈ２）上に点在分布している。その結果、その平行な水平線（Ｈ１−Ｈ１）（Ｈ２−Ｈ２）同士の上下相互間隔は上記した上部中央釘穴（１１Ｃ）と下部中央釘穴（１２Ｃ）との上下相互間隔（Ｄ）に等しい寸法である。
【００４１】
そして、上記取付座（１０）の上部釘穴（１１Ｃ）（１１Ｌ）（１１Ｒ）と下部釘穴（１２Ｃ）（１２Ｌ）（１２Ｒ）からは極めて細い（例えば直径が約１．１mm）第１釘（１７）（１８）が、建物の壁面（Ｗ）へほぼ直角に打ち込まれるようになっている。
【００４２】
尚、上記二等辺三角形の輪郭形状を呈する垂直位置出しガイドマーク（１３Ｃ）（１４Ｃ）と水平位置出しガイドマーク（１５Ｌ）（１５Ｒ）（１６Ｌ）（１６Ｒ）は、取付座（１０）の表面に対する刻印やその他の加工又は塗装やその他の表面処理によって施されている。但し、その垂直位置出しガイドマーク（１３Ｃ）（１４Ｃ）と水平位置出しガイドマーク（１５Ｌ）（１５Ｒ）（１６Ｌ）（１６Ｒ）との何れか一方又は双方を上記二等辺三角形の輪郭形状に代えて、マイナス文字（線分）やプラス文字（十字形）、その他の形態に施してもさしつかえない。
【００４３】
（１９）は上記取付座（１０）の上部へ片寄った中途高さ位置を言わば水平に仕切る横補強桟であって、表向き（前向き）に突き起された側面視のく字形をなし、その上辺の前下がり傾斜板面（１９Ｆ）には複数（図例では３個）の釘穴（２０Ｃ）（２０Ｌ）（２０Ｒ）が、やはり横並び状態に開口分布されており、ここからは同じ極めて細い第２釘（２１）が、建物の壁面（Ｗ）へ斜め下向きに打ち込まれるようになっている。
【００４４】
図例の場合、上記横補強桟（１９）の前下がり傾斜板面（１９Ｆ）に開口分布する釘穴（２０Ｃ）（２０Ｌ）（２０Ｒ）の個数と位置を、上記取付座（１０）に開口分布する上部釘穴（１１Ｃ）（１１Ｌ）（１１Ｒ）のそれらと言わば対応合致した関係状態に揃えているが、その交互に位置ズレした千鳥配列状態に開口分布させても良く、その個数も互いに同じであることを要さない。
【００４５】
更に言えば、上記水平な横補強桟（１９）を取付座（１０）の上部に設置して、そのく字形の前下がり傾斜板面（１９Ｆ）に開口分布する複数の釘穴（２０Ｃ）（２０Ｌ）（２０Ｒ）から、建物の壁面（Ｗ）へ斜め下向きに第２釘（２１）を打ち込むと共に、同じく壁面（Ｗ）へほぼ直角に打ち込む第１釘（１７）の釘穴（１１Ｃ）（１１Ｌ）（１１Ｒ）を、第１釘（１７）と第２釘（２１）との干渉しない千鳥配列状態として、取付座（１０）の中途高さ位置に開口分布させても良い。
【００４６】
また、（２２）は上記取付座（１０）のほぼ中間部から表向き（前向き）連続的に張り出された囲い枠であって、表（前）板面（２２Ｆ）と左右一対のサイド板面（２２Ｌ）（２２Ｒ）とから成る平・底面視のチャンネル形を呈しており、その真上位置に水平な横補強桟（１９）が存在していても、上下方向から枠内へ例えば係止爪（Ａ１）や棚板受け止めステー（Ａ４）（Ａ５）、突っ張り棒ハンガー（Ａ６）、棚柱（Ａ８）などの各種付属用具（アクセサリー）を、支障なく差し込み又は引き抜くことができる。
【００４７】
上記囲い枠（２２）の表（前）板面（２２Ｆ）は正面視のほぼ正方形（例えば幅／横が約２８．２mm×長さ／縦が約３０mm）をなし、その垂直中心線（長手中心線）（Ｖ−Ｖ）上には入口部（２３ａ）が上向く倒立Ｔ字形に切り欠かれたキー溝（２３）と、ネジ穴（２４）との上下一対が形成されているほか、左右一対の水平な縦補強ビード（２５Ｌ）（２５Ｒ）がそのキー溝（２３）とネジ穴（２４）を挟む位置関係として、外（前）向き又は内（後）向きに突き起されてもいる。
【００４８】
上記構成を備えた第１実施形態の物受けブラケット（Ｂ）は、その展開状態を示す図６、７から明白なように、取付座（１０）の上部釘穴（１１Ｃ）（１１Ｌ）（１１Ｒ）や下部釘穴（１２Ｃ）（１２Ｌ）（１２Ｒ）、横補強桟（１９）とその釘穴（２０Ｃ）（２０Ｌ）（２０Ｒ）、囲い枠（２２）のキー溝（２３）やネジ穴（２４）、縦補強ビード（２５Ｌ）（２５Ｒ）、垂直位置出し並びに水平位置出しのガイドマーク（１３Ｃ）（１４Ｃ）（１５Ｌ）（１５Ｒ）（１６Ｌ）（１６Ｒ）を予じめプレス加工した１枚物の金属板（先に例示した鉄板）（Ｍ）から、その縦方向に沿って並ぶ平行な第１〜３折曲げ稜線（Ｌ１）（Ｌ２）（Ｌ３）（図６の点線参照）での順次内向き直角に折り曲げてゆき、最後に上記取付座（１０）とその囲い枠（２２）との直角なコーナー部を、蟻継手（Ｊ）として抜け止め固定することにより、図１〜５のような製品に作成されるのである。
【００４９】
図８〜１０は先の図１〜５に対応する物受けブラケット（Ｂ）の第２実施形態を示している。上記物受けブラケット（Ｂ）の第１実施形態では取付座（１０）の上部サイド釘穴（１１Ｌ）（１１Ｒ）と下部サイド釘穴（１２Ｌ）（１２Ｒ）から建物の壁面（Ｗ）へ、第１釘（１７）（１８）がほぼ直角に打ち込まれるようになっているが、第２実施形態の場合取付座（１０）における上部中央釘穴（１１Ｃ）と下部中央釘穴（１２Ｃ）の近辺から、左右一対づつの上部円錐凸子（２６Ｌ）（２６Ｒ）と下部円錐凸子（２７Ｌ）（２７Ｒ）を各々表向き（前向き）に突き起している。
【００５０】
そして、その上部円錐凸子（２６Ｌ）（２６Ｒ）と下部円錐凸子（２７Ｌ）（２７Ｒ）の円錐面に、各々上部サイド釘穴（１１Ｌ）（１１Ｒ）と下部サイド釘穴（１２Ｌ）（１２Ｒ）を開口分布させ、これらから建物の壁面（Ｗ）へ、何れも第２釘（２１）を正面視のハ字形となる斜め下向きに打ち込むことができるようになっている。
【００５１】
つまり、第２実施形態の物受けブラケット（Ｂ）に具備されている左右一対づつの上部サイド釘穴（１１Ｌ）（１１Ｒ）と下部サイド釘穴（１２Ｌ）（１２Ｒ）は、上記第１実施形態のような第１釘（１７）（１８）の受け入れ用でなく、壁面（Ｗ）へ斜めに打ち込む第２釘（２１）の受け入れ用である。
【００５２】
また、図１１〜１３は同じく物受けブラケット（Ｂ）の第３実施形態を示しており、これでは取付座（１０）における上部中央釘穴（１１Ｃ）の近辺から左右一対の縦補強片（２８Ｌ）（２８Ｒ）を、平面視のく字形として表向き（前向き）に切り起している。
【００５３】
そして、その向かい合う傾斜板面（図示符号省略）に各々上部サイド釘穴（１１Ｌ）（１１Ｒ）を開口分布しており、ここから建物の壁面（Ｗ）へ、やはり第２釘（２１）を平面視のハ字形となる斜め横向きに打ち込むことができるようになっている。茲に、第３実施形態の物受けブラケット（Ｂ）に具備されている左右一対の上部サイド釘穴（１１Ｌ）（１１Ｒ）は、上記第２実施形態と同様に第２釘（２１）の受け入れ用である。
【００５４】
しかも、第３実施形態では第２釘（２１）の受け入れ用釘穴（２０Ｃ）（２０Ｌ）（２０Ｒ）を備えた水平な横補強桟（１９）が、上記第１実施形態のような取付座（１０）からの突き起しでなく、これに代る表向き（前向き）の切り起しとして、やはり側面視のく字形に造形されており、その先端部の弾力性によって振動やショックなどを吸収し得るようになってもいる。
【００５５】
図１４、１５は物受けブラケット（Ｂ）の第４実施形態を示しており、これでは取付座（１０）における上部中央釘穴（１１Ｃ）の近辺から左右一対の翼片（２９Ｌ）（２９Ｒ）を、平面視のハ字形として各々表向き（前向き）に切り起している。
【００５６】
そして、その両翼片（２９Ｌ）（２９Ｒ）に各々開口分布された上部サイド釘穴（１１Ｌ）（１１Ｒ）から建物の壁面（Ｗ）へ、第２釘（２１）を平面視の倒立ハ字形となる斜め横向きに打ち込むことができるようになっている。
【００５７】
更に、図１６、１７は同じく物受けブラケット（Ｂ）の第５実施形態を示しており、これでは取付座（１０）における上部中央釘穴（１１Ｃ）の近辺から左右一対の横補強片（１９Ｌ）（１９Ｒ）を側面視のく字形として表向き（前向き）に切り起している。
【００５８】
そして、その上辺の前下がり傾斜板面（図示符号省略）に各々開口分布された上部サイド釘穴（１１Ｌ）（１１Ｒ）から建物の壁面（Ｗ）へ、やはり第２釘（２１）を斜め下向きに打ち込むことができるようになっている。
【００５９】
茲に、第５実施形態の物受けブラケット（Ｂ）では取付座（１０）に左右一対の下部サイド釘穴（１２Ｌ）（１２Ｒ）と下部水平位置出しガイドマーク（１６Ｌ）（１６Ｒ）がなく、その取付座（１０）の下部には中央釘穴（１２Ｃ）が開口形成されているにとどまるが、このような構成を採用することも可能である。
【００６０】
尚、図８〜１７の第２〜５実施形態におけるその他の構成は、上記第１実施形態と実質的に同一であるため、その図８〜１７に図１〜５との同一符号を記入するにとどめて、その詳細な説明を省略するが、第１〜５実施形態の何れにおいても上記囲い枠（２２）の表（前）板面（２２Ｆ）に開口するネジ穴（２４）は、これをその表（前）板面（２２Ｆ）のバーリングした口筒部へネジ加工することが好ましい。同じく表（前）板面（２２Ｆ）に切り欠かれた倒立Ｔ字形のキー溝（２３）も、これに代る水平な楕円形の長穴や入口部（２３ａ）が上向く単純な凹溝などとして、その囲い枠（２２）の表（前）板面（２２Ｆ）に開口形成しても良い。
【００６１】
次に、図１〜５に示した上記第１実施形態の物受けブラケット（Ｂ）を多機能ベース（コア）金具として、これにより支持されることとなる各種付属用具（アクセサリー）（Ａ１）〜（Ａ８）の代表例を説明すると、下記のとおりである。
【００６２】
即ち、先に一言した係止爪（Ａ１）は図１８、１９に示すような側面視のへ字形に屈曲した金属板から成り、その垂直の取付脚片（３０）に開口するバカ穴（３１）から上記物受けブラケット（Ｂ）側のネジ穴（２４）へ螺合締結される固定ビス（３２）によって、その物受けブラケット（Ｂ）における囲い枠（２２）の表（前）板面（２２Ｆ）へ押し付け固定され、上記取付脚片（３０）から前上がり傾斜状態に張り出す爪片（３３）へ、衣類や絵画、その他の軽量品（図示省略）を吊り掛け使用することができるようになっている。
【００６３】
また、上記係止フック（Ａ２）は図２０、２１のような側面視のほぼＪ字形に折り曲げられた金属板から成り、その下端部がフック片（３４）となっている垂直な板本体（３５）にはバカ穴（３６）と、同じく板本体（３５）の上端部から折り返し垂下する取付脚片（３７）には、上記物受けブラケット（Ｂ）側のネジ穴（２４）よりも径小なネジ穴（３８）とが、各々開口形成されている。
【００６４】
そして、その係止フック（Ａ２）の取付脚片（３７）を物受けブラケット（Ｂ）の囲い枠（２２）へ、上方から差し込み係止させると共に、その板本体（３５）のバカ穴（３６）から上記囲い枠（２２）のネジ穴（２４）を通じて、上記取付脚片（３７）のネジ穴（３８）へ固定ビス（３９）を螺合締結することにより、上記物受けブラケット（Ｂ）の囲い枠（２２）へ取り付け固定することができ、そのフック片（３４）へやはり衣類や絵画、日用品、その他の軽量品（図示省略）を吊り掛け使用し得るようになっている。
【００６５】
本発明の物受けブラケット（Ｂ）は上記衣類や絵画、写真、日用品、その他の軽量な小物類を吊り掛け使用するだけに限らず、棚板（Ａ３）を下方から安定良く受け止め支持するためにも使用することができる。
【００６６】
図２２、２３はそのための付属用具（アクセサリー）である棚板受け止めステー（Ａ４）を示している。これは水平支持アーム（４０）と、前上がり傾斜する筋交いアーム（４１）との別個な２枚１組の金属板から成り、その先端部同士が皿ビス（４２）を介して組み付けられている一方、水平支持アーム（４０）の基端部から折り曲げ垂下する取付脚片（４３）と、筋交いアーム（４１）の同じく基端部から折り曲げ垂下する取付脚片（４４）には、何れも上記物受けブラケット（Ｂ）側のネジ穴（２４）よりも径小なネジ穴（４５）（４６）が、各々開口形成されている。
【００６７】
そして、その水平支持アーム（４０）の取付脚片（４３）と筋交いアーム（４１）の取付脚片（４４）とを、一定間隔を保つ上下一対の別個な物受けブラケット（Ｂ）における囲い枠（２２）へ、各々上方から差し込み係止させると共に、その囲い枠（２２）のネジ穴（２４）を通じて取付脚片（４３）（４４）のネジ穴（４５）（４６）へ、各々固定ビス（４７）（４８）を螺合締結することにより、その物受けブラケット（Ｂ）へ取り付けることができ、このような棚板受け止めステー（Ａ４）の少なくとも左右一対（２組）を用いて、棚板（Ａ３）を安定良く受け止め支持するのである。（４９）はその上記水平支持アーム（４０）から棚板（３）にねじ込み固定される止めネジを示している。
【００６８】
図２４、２５は先の図２２、２３に示した棚板受け止めステー（Ａ４）と別異な棚板受け止めアングル（Ａ５）を示しており、これは倒立Ｌ字形の金属板から成り、その垂直の取付脚片（５０）には上記物受けブラケット（Ｂ）側のネジ穴（２４）よりも径小なネジ穴（５１）と、水平な支持アーム（５２）にはバカ穴（５３）とが各々開口形成されている。
【００６９】
そして、その取付脚片（５０）を物受けブラケット（Ｂ）の囲い枠（２２）へ上方から差し込み係止させると共に、その囲い枠（２２）のネジ穴（２４）から上記取付脚片（５０）のネジ穴（５１）へ、固定ビス（５４）を螺合締結することにより、上記棚板受け止めアングル（Ａ５）をその物受けブラケット（Ｂ）へ取り付けることができ、このような棚板受け止めアングル（Ａ５）の複数（図例では４個）を用いて、平面視の二等辺三角形や正方形、扇形などのコーナー棚板（Ａ３）を室内壁面（Ｗ）の入隅部へ、安定良く架設し得るのである。（５５）は上記棚板受け止めアングル（Ａ５）における水平支持アーム（５２）のバカ穴（５３）から、コーナー棚板（Ａ３）に開口するネジ穴（５６）へ螺合締結される固定ビスを示している。
【００７０】
先に一言した突っ張り棒ハンガー（Ａ６）は図２６〜２８に示すような１本の金属棒から、平・底面視のＵ字形に折り曲げられており、その水平な棒本体（５７）の切り離し両端部が左右一対の取付脚杆（５８）（５８）として、一旦外向きに張り出してから連続的に垂下されている。
【００７１】
そして、一定間隔を保つ左右一対として並ぶ別個な物受けブラケット（Ｂ）における囲い枠（２２）のキー溝（２３）へ、上記突っ張り棒ハンガー（Ａ６）の両取付脚杆（５８）（５８）をその相互間隔の狭く収縮変形させることにより、その入口部（２３ａ）から各々差し込み係止させた後、自動復元的な伸張により抜け止め状態に固定維持し、その突っ張り棒ハンガー（Ａ６）の水平な棒本体（５７）から衣類や身廻り品、日用品、その他の軽量品（図示省略）を吊り掛け使用することができるようになっている。
【００７２】
また、上記スライドレールハンガー（Ａ７）は図２９、３０のような物受けブラケット（Ｂ）の囲い枠（２２）へ、表側（前方）から差し込み被着し得る断面ほぼコ字形のアルミ押出材から成り、その水平な溝レール（５９）の内部へ両端部からＳ字形のフック（６０）やピン形のフック（６１）などを挿入することができ、その左右方向へのスライドも行えるようになっている。
【００７３】
（６２）（６２）は上記溝レール（５９）の両端部を施蓋する左右一対のエンドキャップ、（６３）（６３）は同じく溝レール（５９）の溝底面に開口分布された複数（図例では左右一対の２個）のバカ穴であり、一定間隔を保つ左右一対として並ぶ別個な物受けブラケット（Ｂ）の囲い枠（２２）へ、上記スライドレールハンガー（Ａ７）を表側（前方）から差し込み被着させた上、そのバカ穴（６３）（６３）から囲い枠（２２）のネジ穴（２４）へ、各々固定ビス（６４）を螺合締結することにより、その物受けブラケット（Ｂ）へ取り付け固定することができ、上記フック（６０）（６１）を介して衣類や身廻り品、その他の軽量品（図示省略）を吊り掛け使用し得るのである。
【００７４】
更に、上記棚柱（Ａ８）は図３１、３２のような一定長さ（例えば約２３０mmや約３３０mm、約４３０mmなど）の金属板から成り、その両端部には上記物受けブラケット（Ｂ）側のネジ穴（２４）よりも径小なネジ穴（６５）（６６）の上下一対が開口形成されているほか、同じく棚柱（Ａ８）の中途高さ位置には多数のキー穴（６８）が一定間隔おきに開口分布されている。
【００７５】
そのため、一定間隔を保つ上下一対として並ぶ別個な物受けブラケット（Ｂ）の囲い枠（２２）へ、上方から棚柱（Ａ８）を通し込み垂立させて、その囲い枠（２２）のネジ穴（２４）から棚柱（Ａ８）のネジ穴（６５）（６６）へ、各々固定ビス（６８）（６９）を螺合締結することにより、その棚柱（Ａ８）を物受けブラケット（Ｂ）へ取り付け固定することができ、そのキー穴（６７）へ差し込み係止させた図外のフックから、身廻り品や日用品などの軽量品（図示省略）を吊り下げ使用したり、同じくキー穴（６７）へ差し込み係止させた図外のダボにより、棚板（Ａ３）を水平に受け止め使用したりするのである。
【００７６】
尚、図１８〜３２に示した各種付属用具（アクセサリー）（Ａ１）〜（Ａ８）はあくまでも代表的な一例であるに過ぎず、その物受けブラケット（Ｂ）の囲い枠（２２）、キー溝（２３）又は／及びネジ穴（２４）には、図示以外の形態を備えた適当な付属用具が取り付け使用されることもあり得る。本発明に係る物受けブラケット（Ｂ）の上記した多機能とは、各種付属用具（アクセサリー）の少なくとも異なる２種を支持できる機能があることを意味する。
【００７７】
本発明の上記物受けブラケット（Ｂ）は市販されている垂直の棚柱や水平のハンガーレール、その他の別個な縦横案内部材（取付ベース）を用いず、建物の石膏ボードや薄いベニヤなどから成る屋内壁面（Ｗ）へ、１個づつ点在分布状態での直かに取り付けられるものであり、上記の各種付属用具（アクセサリー）（Ａ１）〜（Ａ８）を支持するベース（コア）金具となる。
【００７８】
そのため、その物受けブラケット（Ｂ）によって支持される付属用具（アクセサリー）が、図１８、１９のような１個の係止爪（Ａ１）や図２０、２１のような１個の係止フック（Ａ２）であれば、その独立の１個づつによって衣類や身廻り品、絵画などの軽量な小物類を吊り掛け使用する機能上、その壁面（Ｗ）に対する取付位置や姿勢状態などの厳格さ（高精度）を求める必要性は殆んどないが、点在分布する複数の物受けブラケット（Ｂ）により、図２２、２３のような複数の棚板受け止めステー（Ａ４）や図２４、２５のような複数の棚板受け止めアングル（Ａ５）を介して、その複数に共通する１個の棚板（Ａ３）やコーナー棚板（Ａ３）を受け止め支持したり、また点在分布する複数の物受けブラケット（Ｂ）を用いて、その複数に共通する図２６〜２８のような１本の突っ張り棒ハンガー（Ａ６）や図２９、３０のようなスライドレールハンガー（Ａ７）を支持したり、更にはやはり点在分布する複数の物受けブラケット（Ｂ）を用いて、その複数に共通する図３１、３２のような１本の棚柱（Ａ８）を固定したりする場合には、その複数の物受けブラケット（Ｂ）同士を上記壁面（Ｗ）の水平線上に点在分布する正確な横並び状態又は／及び垂直線上に点在分布する正確な縦並び状態に取り付ける必要がある。
【００７９】
図３３はそのために使う物受けブラケット用取付型紙（Ｐ）を示している。この取付型紙（Ｐ）は、建物の屋内壁面（Ｗ）へ１人でも支障なく展開して張り付け使用できる程度の大きさ（好ましくはＡ３サイズやＢ３サイズ）を有する長方形の薄い紙から成り、その周辺部には紙自身の輪郭形状と相似な長方形の囲い枠線（７０）が施されている。（７１）はその囲い枠線（７０）内の４隅部へ点在分布状態に施された円形の押しピン位置ガイドマークであり、ここからの押しピン（画鋲）（７２）によって建物の壁面（Ｗ）へ、上記取付型紙（Ｐ）を張り付けることができる。
【００８０】
但し、その押しピン位置ガイドマーク（７１）の表示を省略し、ここからの押しピン（画鋲）（７２）に代る接着テープやガムテープ、その他の着脱できる仮り止め具を使用して、上記取付型紙（Ｐ）を建物の壁面（Ｗ）へ張り付けても良い。
【００８１】
その物受けブラケット用取付型紙（Ｐ）における囲い枠線（７０）の内部は言わば方眼紙（直交座標）として、縦線（Ｙ）と横線（Ｘ）との複数づつが直交する配列状態に施されているほか、その各縦線（Ｙ）の上下両端部と各横線（Ｘ）の左右両端部には、位置表示となる文字又は記号（７３）（７４）が施されてもいる。
【００８２】
この点、図例では各縦線（Ｙ）の上下両端部に「Ｙ０」〜「Ｙ２０」という合計２１個の文字（７３）が、左側から右側への順序良く並ぶ点在分布状態に施されている一方、各横線（Ｘ）の左右両端部に「Ｘ０」〜「Ｘ１４」という合計１５個の文字（７４）が、上側から下側への順序良く並ぶ点在分布状態に施されており、これらの異なる文字（７３）（７４）を目視して、各縦線（Ｙ）と各横線（Ｘ）との交点（Ｏ）を知得するようになっている。
【００８３】
特に、上記取付型紙（Ｐ）の方眼紙（直交座標）を形作る縦線（Ｙ）と横線（Ｘ）は、本発明に係る物受けブラケット（Ｂ）の上記構成と有機的に関連づけられており、その取付型紙（Ｐ）を使用することによって、建物の壁面（Ｗ）へ上記物受けブラケット（Ｂ）を取り付ける際の位置決めを、専門業者でない素人の誰もがすばやく正確に行えるようになっている。
【００８４】
つまり、これを第１〜５の第１実施形態に係る物受けブラケット（Ｂ）の構成に基いて説明すると、その取付型紙（Ｐ）に施された縦線（Ｙ）同士の隣り合う左右相互間隔ピッチ（ｄ）と横線（Ｘ）同士の隣り合う上下相互間隔ピッチ（ｄ）は、何れも上記物受けブラケット（Ｂ）における上部中央釘穴（１１Ｃ）と下部中央釘穴（１２Ｃ）との上下相互間隔（Ｄ）に等しい寸法として関係設定されている。
【００８５】
これを換言すれば、上記物受けブラケット（Ｂ）における取付座（１０）の垂直中心線（長手中心線）（Ｖ−Ｖ）上に点在分布する上部中央釘穴（１１Ｃ）と下部中央釘穴（１２Ｃ）とが、その取付型紙（Ｐ）における縦線（Ｙ）と横線（Ｘ）との隣り合う１個づつの交点（Ｏ）上へ、必らず位置することとなるように対応合致されているのである。
【００８６】
この対応的な位置関係を一目瞭然とするために、上記物受けブラケット（Ｂ）自身の輪郭形状（姿図）（Ｂｆ）をその取付型紙（Ｐ）へ、図３４の変形実施形態に示すような縦向き姿勢状態又は／及び横向き姿勢状態として表示しておくことが望ましい。
【００８７】
また、物受けブラケット（Ｂ）側の上記した上下相互間隔（Ｄ）とその取付型紙（Ｐ）側の方眼紙（直交座標）を形作る上記間隔ピッチ（ｄ）とは、その互いに等しい寸法であれば、適当に選定することができるが、先に例示した約５０mmに設定することが好ましい。
【００８８】
石膏ボードや薄いベニヤなどから成る弱い屋内壁面（Ｗ）を補強する裏芯の間柱（図示省略）は、約３５０mm、約４５０mm又は約５００mmの間隔ピッチに配置されている通例であるところ、物受けブラケット（Ｂ）側の上記した上下相互間隔（Ｄ）が約５０mmの寸法であれば、その壁面（Ｗ）へ取り付ける物受けブラケット（Ｂ）の第１釘（１７）（１８）を、間柱へ命中する状態に固定できる確率が高まり、ますます有益となるからである。
【００８９】
その場合、取付型紙（Ｐ）における約５０mmの上記間隔ピッチ（ｄ）を保つ縦線（Ｙ）と横線（Ｘ）は、これらの複数づつを図例のような太い実線又は濃い実線として表示すると共に、その間隔ピッチ（ｄ）を約２５mmに２等分する細い実線又は淡い実線の別個な縦線（ｙ）と横線（ｘ）も追加することにより、ますます細かい（狭い）方眼紙（直交座標）となる状態の物受けブラケット用取付型紙（Ｐ）に作成しても良い。
【００９０】
更に言えば、上記方眼紙（直交座標）を形作る縦線（Ｙ）と横線（Ｘ）に、相違する着色カラーを与えたり、その縦線（Ｙ）と横線（Ｘ）とを相違する線種（実線や点線、二点鎖線など）によって表示したり、また縦線（Ｙ）のうちの左右対称な中心（基準）となる中央縦線又は／及び横線（Ｘ）のうちの上下対称な中心（基準）となる中央横線だけを、特別の太さや線種、着色カラーなどとして表示したりすることも可能である。図例では、その中央縦線と中央横線を何れも点線によって表示している。
【００９１】
そうすれば、建物の壁面（Ｗ）へ上記物受けブラケット（Ｂ）を取り付ける際の位置決め作業を、ますます便利良く正確に行える効果がある。
【００９２】
上記物受けブラケット（Ｂ）自身の輪郭形状（姿図）（Ｂｆ）が縦向き姿勢状態と横向き姿勢状態に併記された図３４から明白なように、その取付型紙（Ｐ）は同図のような横長の長方形のみならず、縦長の長方形としても建物の壁面（Ｗ）へ張り付け使用することができる。
【００９３】
尚、上記囲い枠線（７０）や押しピン位置ガイドマーク（７１）、縦線（Ｙ）、横線（Ｘ）、文字（７３）（７４）などは取付型紙（Ｐ）の紙面にプリントされているが、これらを施す表示手段は適当に選定することができる。
【００９４】
本発明の上記物受けブラケット（Ｂ）を建物の屋内壁面（Ｗ）へ取り付ける際には、その正確な位置決めのために上記取付型紙（Ｐ）を使用する。
【００９５】
即ち、スライドレールハンガー（Ａ７）を支持する上記第１実施形態の物受けブラケット（Ｂ）に基いて、壁面（Ｗ）への取付方法を説明すると、その壁面（Ｗ）の近辺には窓枠（Ｆ）や家具、天井面、床面などの既設物が存在するため、これらの垂直又は水平な稜線を基準線として、先ず取付型紙（Ｐ）をその囲い枠線（７０）の縦線部又は横線部が上記基準線と平行になる正しい（傾斜しない）方向・姿勢（例えば横長の状態）に保ち、その４隅部の押しピン（画鋲）（７２）により、壁面（Ｗ）へ皺寄りなく張り付け一体化する。
【００９６】
次いで、上記取付型紙（Ｐ）における任意の縦線（Ｙ）と任意の横線（Ｘ）とが直交する交点（Ｏ）同士の隣り合う上下一対へ、物受けブラケット（Ｂ）における取付座（１０）の上部中央釘穴（１１Ｃ）と下部中央釘穴（１２Ｃ）とを対応合致させて、その両中央釘穴（１１Ｃ）（１２Ｃ）から上下一対（２本）の第１釘（１７）（１８）を各々打ち込むことにより、物受けブラケット（Ｂ）を壁面（Ｗ）へ仮り止め状態に固定する。
【００９７】
その場合、物受けブラケット（Ｂ）の上部中央釘穴（１１Ｃ）から壁面（Ｗ）へ、先に第１釘（１７）の１本を浅く打ち込めば、その物受けブラケット（Ｂ）が一旦自由な吊り下がり状態になるため、その水平度や垂直度を容易に目視・確認することができ、その上で下部中央釘穴（１２Ｃ）から壁面（Ｗ）へ引き続き第１釘（１８）の１本を打ち込めば良い。
【００９８】
特に、上下一対の垂直位置出しガイドマーク（１３Ｃ）（１４Ｃ）や上下一対づつ合計４個の水平位置出しガイドマーク（１５Ｌ）（１５Ｒ）（１６Ｌ）（１６Ｒ）が刻印された物受けブラケット（Ｂ）と、その輪郭形状（姿図）（Ｂｆ）が表示された取付型紙（Ｐ）を採用するならば、その取付型紙（Ｐ）側の上記交点（Ｏ）に対して物受けブラケット（Ｂ）側の上  中央釘穴（１１Ｃ）（１２Ｃ）を位置合わせする作業を、ますます容易にすばやく行える利点がある。
【００９９】
そして、上記壁面（Ｗ）へ先付けされた物受けブラケット（Ｂ）と相俟って、一定長さのスライドレールハンガー（Ａ７）を支持する同じ別個な物受けブラケット（Ｂ）を、これもその後取付型紙（Ｐ）における同じ高さ位置の横線（Ｘ）と、異なる位置の縦線（Ｙ）とが直交する交点（Ｏ）同士の隣り合う上下一対へ、先付け時と同様に対応的な上下一対（２本）の第１釘（１７）（１８）を打ち込むことによって、やはり壁面（Ｗ）へ仮り止め状態に固定する。
【０１００】
このようにして左右一対の物受けブラケット（Ｂ）が図３５に示す如く、取付型紙（Ｐ）の横線（Ｘ）上に正しく並ぶ点在分布状態となったことを通覧した後、望ましくは上下一対（２本）の第１釘（１７）（１８）が未だ浅い打ち込み状態にあるうちに、上記取付型紙（Ｐ）の押しピン（画鋲）（７２）を抜き取って、その取付型紙（Ｐ）を壁面（Ｗ）から左右方向又は上下方向へ引っ張り除去し、それから上記した２本の第１釘（１７）（１８）を深く打ち込むと共に、各物受けブラケット（Ｂ）の取付座（１０）に未だ開口残存している上部サイド釘穴（１１Ｌ）（１１Ｒ）と下部サイド釘穴（１２Ｌ）（１２Ｒ）、同じく横補強桟（１９）に開口している複数の釘穴（２０Ｃ）（２０Ｌ）（２０Ｒ）から壁面（Ｗ）へ、第１、２釘（１７）（１８）（２１）をすべて深く打ち込んで、各物受けブラケット（Ｂ）を壁面（Ｗ）へ言わば本止め状態に取り付け固定するのである。
【０１０１】
左右一対の物受けブラケット（Ｂ）によって支持されるスライドレールハンガー（Ａ７）は、上記壁面（Ｗ）に対する物受けブラケット（Ｂ）の取り付けを完了した最後に、その両物受けブラケット（Ｂ）の囲い枠（２２）へ前方（正面）から被着させて、その囲い枠（２２）のネジ穴（２４）へねじ込む固定ビス（６４）により、図２９、３０のように取り付ければ良く、そうすればスライドレールハンガー（Ａ７）の水平度が自づと確保された支持状態を得られる結果となる。
【０１０２】
尚、上記した複数（図例では３本）の第２釘（２１）は取付型紙（Ｐ）を建物の壁面（Ｗ）から引っ張り除去した後に、その壁面（Ｗ）へ斜めに打ち込まれ、また第１、２釘（１７）（１８）（２１）のすべてを深く打ち込むことにより、各物受けブラケット（Ｂ）を壁面（Ｗ）へ完全に取り付け固定した後に、その複数の物受けブラケット（Ｂ）に対するスライドレールハンガー（Ａ７）の取り付けを行うため、その付属用具（アクセサリー）としてのスライドレールハンガー（Ａ７）が取り付けられた最終時点では、建物の壁面（Ｗ）にもはや上記取付型紙（Ｐ）は存在しないが、図３６、３７はその型紙（Ｐ）を残存させたあくまでも参考図として、そのスライドレールハンガー（Ａ７）の水平度が保たれた支持状態と位置関係を示している。
【０１０３】
また、棚柱（Ａ８）を固定する上記第１実施形態の物受けブラケット（Ｂ）に基いて、壁面（Ｗ）への取付方法を説明すると、やはり既設物の垂直又は水平な稜線を基準線として、先ずこれと取付型紙（Ｐ）の囲い枠線（７０）とを平行に対応させる如く、その取付型紙（Ｐ）を正しい（傾斜しない）方向・姿勢（例えば縦長の状態）に保ち、４隅部の押しピン（画鋲）（７２）により、壁面（Ｗ）へ張り付け一体化する。
【０１０４】
次に、上記取付型紙（Ｐ）における任意の縦線（Ｙ）と任意の横線（Ｘ）とが直交する交点（Ｏ）同士の隣り合う上下一対へ、やはり物受けブラケット（Ｂ）の上部中央釘穴（１１Ｃ）と下部中央釘穴（１２Ｃ）とを合致させて、その両中央釘穴（１１Ｃ）（１２Ｃ）から上下一対（２本）の第１釘（１７）（１８）を各々打ち込むことにより、物受けブラケット（Ｂ）を壁面（Ｗ）への仮り止め状態に固定する。
【０１０５】
そして、その壁面（Ｗ）へ先付けされた物受けブラケット（Ｂ）と相俟って、一定長さの棚柱（Ａ８）を固定する同じ別個な物受けブラケット（Ｂ）を、これもその後取付型紙（Ｐ）における同じ位置の縦線（Ｙ）と、異なる高さ位置の横線（Ｘ）とが直交する交点（Ｏ）同士の隣り合う上下一対へ、先付け時と同様に上下一対（２本）の第１釘（１７）（１８）を打ち込むことによって、やはり壁面（Ｗ）へ仮り止め状態に固定する。
【０１０６】
そうすれば、上下一対の物受けブラケット（Ｂ）が取付型紙（Ｐ）の縦線（Ｙ）上に正しく並ぶ点在分布状態となるので、上下一対（２本）の上記第１釘（１７）（１８）を未だ深く打ち込んでいない仮り止め状態のもとで、上記取付型紙（Ｐ）の押しピン（画鋲）（７２）を抜き取り、その取付型紙（Ｐ）を壁面（Ｗ）から引っ張り除去し、その後上記２本の第１釘（１７）（１８）を深く完全に打ち込むと共に、各物受けブラケット（Ｂ）に未だ開口状態のまま残存している複数の釘穴（１１Ｌ）（１１Ｒ）（１２Ｌ）（１２Ｒ）（２０Ｃ）（２０Ｌ）（２０Ｒ）から壁面（Ｗ）へ、第１、２釘（１７）（１８）（２１）をすべて深く打ち込んで、その各物受けブラケット（Ｂ）を壁面（Ｗ）への本止め状態に取り付け固定する。斜めの第２釘（２１）はやはり壁面（Ｗ）から取付型紙（Ｐ）を除去した後、その物受けブラケット（Ｂ）を完全に取り付け固定するために、壁面（Ｗ）へ打ち込み使用されるのである。
【０１０７】
その上下一対の物受けブラケット（Ｂ）に形成されている囲い枠（２２）へ、最後に上方から棚柱（Ａ８）を通し込み垂立させて、その囲い枠（２２）のネジ穴（２４）から棚柱（Ａ８）のネジ穴（６５）（６６）へ固定ビス（６８）（６９）を各々螺合締結すれば、図３１、３２のように、その棚柱（Ａ８）の垂直度が自づと確保された固定状態を得られることになる。
【０１０８】
尚、図３８は図３７と対応するあくまでも参考図であって、やはり取付型紙（Ｐ）を残存させることにより、その棚柱（Ａ８）の垂直度が保たれた支持状態と位置関係を示している。
【０１０９】
更に、棚板受け止めステー（Ａ４）を支持する上記第１実施形態の物受けブラケット（Ｂ）に基いて、壁面（Ｗ）への取付方法を説明すると、やはり既設物の垂直又は水平な稜線を基準線として、先ずその基準線と囲い枠線（７０）が平行となる取付型紙（Ｐ）の正しい（傾斜しない）方向・姿勢に保った上、その４隅部の押しピン（画鋲）（７２）により、取付型紙（Ｐ）を壁面（Ｗ）へ張り付け一体化する。
【０１１０】
次に、上記取付型紙（Ｐ）における任意の縦線（Ｙ）と任意の横線（Ｘ）とが直交する交点（Ｏ）同士の隣り合う上下一対と、その同じ位置の縦線（Ｙ）と異なる高さ位置の横線（Ｘ）とが直交する交点（Ｏ）同士の隣り合う上下一対へ、対応的な上下一対の物受けブラケット（Ｂ）に各々開口分布する上部中央釘穴（１１Ｃ）と下部中央釘穴（１２Ｃ）とを何れも合致させて、その上下一対（２個）づつの中央釘穴（１１Ｃ）（１２Ｃ）から対応的な上下一対（２本）づつの第１釘（１７）（１８）を打ち込むことにより、その各物受けブラケット（Ｂ）を壁面（Ｗ）への仮り止め状態に固定し、このような先付けされた上下一対の物受けブラケット（Ｂ）によって、棚板受け止めステー（Ａ４）を支持できるように準備する。
【０１１１】
そして、その棚板受け止めステー（Ａ４）と左右一対の組になる棚板受け止めステー（Ａ４）を支持する同じ別個な物受けブラケット（Ｂ）の上下一対を、これらもその後取付型紙（Ｐ）における同じ高さ位置にある上下一対の横線（Ｘ）と、異なる位置にある縦線（Ｙ）とが各々直交する交点（Ｏ）同士の隣り合う上下一対へ、先付け時と同様に上下一対（２本）づつの第１釘（１７）（１８）を打ち込むことによって、その各物受けブラケット（Ｂ）をやはり壁面（Ｗ）へ仮り止め状態に固定し、上記棚板受け止めステー（Ａ４）の左右一対によって、一定な大きさの棚板（Ａ３）を受け止めることができるように準備する。
【０１１２】
そうすれば、上下一対づつ合計４個の物受けブラケット（Ｂ）が取付型紙（Ｐ）の縦線（Ｙ）上と横線（Ｘ）上に正しく並ぶ点在分布状態に保たれるので、その全体を正面（前方）から通覧・確認した上、上記取付型紙（Ｐ）の押しピン（画鋲）（７２）を抜き取り、その取付型紙（Ｐ）を壁面（Ｗ）から引っ張り除去した後、上下一対（２本）づつの上記第１釘（１７）（１８）を深く完全に打ち込むと共に、各物受けブラケット（Ｂ）に未だ開口状態のまま残存している複数の釘穴（１１Ｌ）（１１Ｒ）（１２Ｌ）（１２Ｒ）（２０Ｃ）（２０Ｌ）（２０Ｒ）から壁面（Ｗ）へ、第１、２釘（１７）（１８）（２１）をすべて深く打ち込むことにより、その物受けブラケット（Ｂ）を壁面（Ｗ）へ完全に取り付け固定する。その壁面（Ｗ）へ斜めに打ち込まれる複数の第２釘（２１）は、やはり抜け止め効果の向上に役立つ。
【０１１３】
上記左右一対の棚板受け止めステー（Ａ４）へ、最後に棚板（Ａ３）を横架状態に搭載させて、その棚板受け止めステー（Ａ４）の水平支持アーム（４０）と棚板（Ａ３）とを、複数の止めネジ（４９）により固定すれば、図２２、２３のように、その棚板（Ａ３）の水平度が自づと確保された設置状態を得られる結果となる。
【０１１４】
尚、図３９は図３７、３８と対応するあくまでも参考図であり、取付型紙（Ｐ）を壁面（Ｗ）に残存させた状態図として、棚板（Ａ３）が物受けブラケット（Ｂ）並びに棚板受け止めステー（Ａ４）により支持された水平度と位置関係を示している。
【０１１５】
上記スライドレールハンガー（Ａ７）と棚板（Ａ３）並びに棚板受け止めステー（Ａ４）を各々支持する第１実施形態の物受けブラケット（Ｂ）を代表的な一例に挙げて、その建物の屋内壁面（Ｗ）に対する取付方法を説明したが、要するに物受けブラケット（Ｂ）に開口分布する上部中央釘穴（１１Ｃ）と下部中央釘穴（１２Ｃ）との上下相互間隔（Ｄ）とほぼ等しい間隔ピッチ（ｄ）のもとで、縦線（Ｙ）と横線（Ｘ）とが直交する状態に表示された方眼紙（直交座標）を物受けブラケット用取付型紙（Ｐ）として、建物の壁面（Ｗ）へ一旦張り付け使用し、その取付型紙（Ｐ）における縦線（Ｙ）上へ並列する点在分布状態に取り付けられた複数の物受けブラケット（Ｂ）によって、これらでの一挙に支持される結果となる共通の上記スライドレールハンガー（Ａ７）や突っ張り棒ハンガー（Ａ６）、棚板受け止めステー（Ａ４）、棚板受け止めアングル（Ａ５）、棚柱（Ａ８）、その他の各種付属用具（アクセサリー）の垂直度を出すことができるほか、同じく取付型紙（Ｐ）における横線（Ｘ）上へ並列する点在分布状態に取り付けられた複数の物受けブラケット（Ｂ）によって、やはりこれらでの一挙に支持される結果となる共通の各種付属用具（Ａ１）〜（Ａ８）の水平度を出すこともでき、更にその水平度と垂直度とを一挙に確保することもできるならば、本発明の範疇に属する。
【０１１６】
上記第１実施形態の物受けブラケット用取付型紙（Ｐ）に基いて、その建物の壁面（Ｗ）に対する取付方法を説明したが、その図１〜５と対応する図８〜１７に示した第２〜５実施形態の物受けブラケット（Ｂ）でも、その各個を取付座（１０）の上部中央釘穴（１１Ｃ）と下部中央釘穴（１２Ｃ）から壁面（Ｗ）へ、第１釘（１７）（１８）をほぼ直角に打ち込んで、仮り止め状態に固定し、その壁面（Ｗ）から取付型紙（Ｐ）を引っ張り除去した後、左右一対の上部円錐凸子（２６Ｌ）（２６Ｒ）や縦補強片（２８Ｌ）（２８Ｒ）、翼片（２９Ｌ）（２９Ｒ）、横補強片（１９Ｌ）（１９Ｒ）に開口する上部サイド釘穴（１１Ｌ）（１１Ｒ）から上記第１実施形態の第１釘（１７）に代る第２釘（２１）を、また横補強桟（１９）に開口する釘穴（２０Ｃ）（２０Ｌ）（２０Ｒ）からも第２釘（２１）を、更には取付座（１０）や下部円錐凸子（２７Ｌ）（２７Ｒ）に開口する下部サイド釘穴（１２Ｌ）（１２Ｒ）から上記第１実施形態のような第１釘（１８）又はこれに代る第２釘（２１）を、何れも壁面（Ｗ）へ斜めに打ち込んで、言わば本止め状態に取り付け固定することができ、その物受けブラケット（Ｂ）の複数によって共通の上記スライドレールハンガー（Ａ７）や突っ張り棒ハンガー（Ａ６）、棚板受け止めステー（Ａ４）、棚板受け止めアングル（Ａ５）、棚柱（Ａ８）、その他の各種付属用具（アクセサリー）を、やはり垂直度又は／及び水平度が正しく確保された状態に支持し得るのである。
【０１１７】
何れにしても、本発明では上記取付型紙（Ｐ）を使用して、複数の物受けブラケット（Ｂ）を建物の壁面（Ｗ）へ取り付けるようになっているため、専門業者でない一般家庭の老若男女でも、上記付属用具（アクセサリー）（Ａ１）〜（Ａ８）の各種を自づと正確な水平設置状態又は／及び垂直設置状態に保つことができるのであり、その物受けブラケット（Ｂ）自身が発揮する多機能とも相俟って、屋内壁面（Ｗ）の模様替えやインテリアコーディネート、その他の空間利用に大変役立つ。
【０１１８】
更に言えば、各種付属用具（アクセサリー）（Ａ１）〜（Ａ８）の水平度や垂直度を出すことに失敗するおそれがなく、何度もやり直す必要がなくなるため、上記第１、２釘（１７）（１８）（２１）が極めて細いものであることとも相俟って、石膏ボードや薄いベニヤなどから成る弱い壁面（Ｗ）を破損することなく、その壁面（Ｗ）へ各種付属用具（アクセサリー）（Ａ１）〜（Ａ８）を支持する物受けブラケット（Ｂ）を、便利に安定良く取り付け固定できる効果がある。
【符号の説明】
【０１１９】
（１０）・取付座
（１１Ｃ）（１１Ｌ）（１１Ｒ）（１２Ｃ）（１２Ｌ）（１２Ｒ）（２０Ｃ）（２０Ｌ）（２０Ｒ）・釘穴
（１３Ｃ）（１４Ｃ）（１５Ｌ）（１５Ｒ）（１６Ｌ）（１６Ｒ）・位置出しガイドマーク                                                                              （１７）（１８）（２１）・釘
（１９）・横補強桟
（１９Ｌ）（１９Ｒ）・横補強片
（２２）・囲い枠
（２３）・キー溝
（２４）・ネジ穴
（２５Ｌ）（２５Ｒ）・縦補強ビード
（２６Ｌ）（２６Ｒ）（２７Ｌ）（２７Ｒ）・円錐凸子
（２８Ｌ）（２８Ｒ）・縦補強片
（２９Ｌ）（２９Ｒ）・翼片
（Ａ１）・係止爪
（Ａ２）・係止フック
（Ａ３）・棚板
（Ａ４）・棚板受け止めステー
（Ａ５）・棚板受け止めアングル
（Ａ６）・突っ張り棒ハンガー
（Ａ７）・スライドレールハンガー
（Ａ８）・棚柱
（Ｂ）・物受けブラケット
（Ｄ）・上下相互間隔
（Ｆ）・窓枠
（Ｊ）・蟻継手
（Ｍ）・金属板
（Ｐ）・物受けブラケット用取付型紙
（Ｗ）・壁面
（Ｌ１）（Ｌ２）（Ｌ３）・折曲げ稜線
（Ｖ−Ｖ）・垂直中心線
（Ｈ１─Ｈ１）（Ｈ２−Ｈ２）・水平線
（Ｘ）・横線
（Ｙ）・縦線
（Ｏ）・交点
（ｄ）・間隔ピッチ
【図１】
2014209955.tif 000003
【図２】
2014209955.tif 000004
【図３】
2014209955.tif 000005
【図４】
2014209955.tif 000006
【図５】
2014209955.tif 000007
【図６】
2014209955.tif 000008
【図７】
2014209955.tif 000009
【図８】
2014209955.tif 000010
【図９】
2014209955.tif 000011
【図１０】
2014209955.tif 000012
【図１１】
2014209955.tif 000013
【図１２】
2014209955.tif 000014
【図１３】
2014209955.tif 000015
【図１４】
2014209955.tif 000016
【図１５】
2014209955.tif 000017
【図１６】
2014209955.tif 000018
【図１７】
2014209955.tif 000019
【図１８】
2014209955.tif 000020
【図１９】
2014209955.tif 000021
【図２０】
2014209955.tif 000022
【図２１】
2014209955.tif 000023
【図２２】
2014209955.tif 000024
【図２３】
2014209955.tif 000025
【図２４】
2014209955.tif 000026
【図２５】
2014209955.tif 000027
【図２６】
2014209955.tif 000028
【図２７】
2014209955.tif 000029
【図２８】
2014209955.tif 000030
【図２９】
2014209955.tif 000031
【図３０】
2014209955.tif 000032
【図３１】
2014209955.tif 000033
【図３２】
2014209955.tif 000034
【図３３】
2014209955.tif 000035
【図３４】
2014209955.tif 000036
【図３５】
2014209955.tif 000037
【図３６】
2014209955.tif 000038
【図３７】
2014209955.tif 000039
【図３８】
2014209955.tif 000040
【図３９】
2014209955.tif 000041